【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
Ｍ−巻線結合インダクタであって、Ｍは、１より大きい整数であり、該結合インダクタは、
第１の端部磁気要素と、
第２の端部磁気要素と、
Ｍ個の接続磁気要素であって、各接続磁気要素は、該第１の端部磁気要素と該第２の端部磁気要素との間に配置され、それらを接続する、Ｍ個の接続磁気要素と、
Ｍ個の巻線であって、各巻線は、該Ｍ個の接続磁気要素のうちの個別の１つに少なくとも部分的に巻き付けられる、Ｍ個の巻線と、
磁束に該第１の端部磁気要素と該第２の端部磁気要素との間の経路を提供するように、該Ｍ個の接続磁気要素のうちの少なくとも２つに隣接し、それらに少なくとも部分的にわたって延在する少なくとも１つの上部磁気要素と
を備え、
該少なくとも１つの上部磁気要素は、該第１の端部磁気要素にわたって延在し、かつ、第１の空隙によって該第１の端部磁気要素から離間され、該少なくとも１つの上部磁気要素は、該第２の端部磁気要素にわたって延在し、かつ、第２の空隙によって該第２の端部磁気要素から離間され、該第１および第２の空隙のそれぞれは、該磁気要素を形成する１つ以上の磁性材料より低い透磁率を有する個別の空隙材料を含む、結合インダクタ。
【請求項２】
各巻線は、前記第１の空隙の厚さの関数であり、かつ前記第２の空隙の厚さの関数である、個別の漏れインダクタンス値を有する、請求項１に記載の結合インダクタ。
【請求項３】
接着剤および非磁性スペーサから成る群より選択される非磁性材料をさらに備え、該非磁性材料は、前記少なくとも１つの上部磁気要素を前記第１および第２の端部磁気要素から分離する、請求項２に記載の結合インダクタ。
【請求項４】
前記Ｍ個の巻線のうちの少なくとも１つは、前記少なくとも１つの上部磁気要素と前記第１および第２の端部磁気要素との間のスペーサとしての役割を果たす、請求項２に記載の結合インダクタ。
【請求項５】
Ｍは、２より大きい整数である、請求項１に記載の結合インダクタ。
【請求項６】
Ｍ−巻線結合インダクタであって、Ｍは、２より大きい整数であり、該結合インダクタは、
第１の端部磁気要素と、
第２の端部磁気要素と、
Ｍ個の接続磁気要素であって、各接続磁気要素は、該第１の端部磁気要素と該第２の端部磁気要素との間に配置され、それらを接続する、Ｍ個の接続磁気要素と、
Ｍ個の巻線であって、各巻線は、該Ｍ個の接続磁気要素のうちの個別の１つに少なくとも部分的に巻き付けられる、Ｍ個の巻線と、
磁束に該第１の端部磁気要素と該第２の端部磁気要素との間の経路を提供するように、該Ｍ個の接続磁気要素のうちの少なくとも２つに隣接し、それらに少なくとも部分的にわたって延在する少なくとも１つの上部磁気要素と
を備え、
該第１の端部磁気要素は、該少なくとも１つの上部磁気要素に隣接する開口部を形成して、該少なくとも１つの上部磁気要素に面する該第１の端部磁気要素の断面積を減少させる、結合インダクタ。
【請求項７】
前記少なくとも１つの上部磁気要素は、単一の上部磁気要素を備える、請求項１に記載の結合インダクタ。
【請求項８】
各巻線は、単層であり、長方形の断面を有する単巻の巻線である、請求項１に記載の結合インダクタ。
【請求項９】
前記少なくとも１つの上部磁気要素は、外面を形成し、前記外面の少なくとも一部分は、平面である、請求項１に記載の結合インダクタ。
【請求項１０】
各接続磁気要素は、個別の幅を有し、隣接する接続磁気要素は、いずれかの隣接する接続磁気要素の該個別の幅の２５％未満である分離距離で分離される、請求項１に記載の結合インダクタ。
【請求項１１】
各接続磁気要素は、個別の幅を有し、隣接する接続磁気要素は、いずれかの隣接する接続磁気要素の該個別の幅の１０％未満である分離距離で分離される、請求項１に記載の結合インダクタ。
【請求項１２】
前記少なくとも１つの上部磁気要素は、前記Ｍ個の接続磁気要素の全てに隣接し、それらにわたって延在する、請求項１に記載の結合インダクタ。
【請求項１３】
Ｍ相電源であって、Ｍは、１より大きい整数であり、該電源は、
結合インダクタであって、該結合インダクタは、
第１の端部磁気要素と、
第２の端部磁気要素と、
Ｍ個の接続磁気要素であって、各接続磁気要素は、該第１の端部磁気要素と該第２の端部磁気要素との間に配置され、それらを接続する、Ｍ個の接続磁気要素と、
Ｍ個の巻線であって、各巻線は、該Ｍ個の接続磁気要素のうちの個別の１つに少なくとも部分的に巻き付けられ、各巻線は、個別の第１の端部と、個別の第２の端部とを有し、各第１の端部は、共通の第１の節点に電気的に結合される、Ｍ個の巻線と、
磁束に該第１の端部磁気要素と該第２の端部磁気要素との間の経路を提供するように、該Ｍ個の接続磁気要素のうちの少なくとも２つに隣接し、それらに少なくとも部分的にわたって延在する少なくとも１つの上部磁気要素と
を含み、該少なくとも１つの上部磁気要素は、該第１の端部磁気要素にわたって延在し、かつ、第１の空隙によって該第１の端部磁気要素から離間され、該少なくとも１つの上部磁気要素は、該第２の端部磁気要素にわたって延在し、かつ、第２の空隙によって該第２の端部磁気要素から離間され、該第１および第２の空隙のそれぞれは、該磁気要素を形成する１つ以上の磁性材料より低い透磁率を有する個別の空隙材料を含み、各巻線は、該第１の空隙の厚さの関数であり、かつ第２の空隙の厚さの関数である、個別の漏れインダクタンス値を有する、結合インダクタと、
Ｍ個のスイッチング回路であって、各スイッチング回路は、個別の巻線の該第２の端部に電気的に結合され、少なくとも２つの異なる電圧間で該第２の端部を切り替えるように構成されている、Ｍ個のスイッチング回路と
を備える、Ｍ相電源。
【請求項１４】
Ｍは、２より大きい整数である、請求項１３に記載の電源。
【請求項１５】
各接続磁気要素は、個別の幅を有し、隣接する接続磁気要素は、いずれかの隣接する接続磁気要素の該個別の幅の２５％未満である分離距離で分離される、請求項１３に記載の電源。
【請求項１６】
各スイッチング回路は、その個別の第２の端部を、少なくとも２０キロヘルツの周波数で、少なくとも２つの異なる電圧間で切り替えるように構成されている、請求項１３に記載の電源。
【請求項１７】
前記電源は、降圧コンバータ、昇圧コンバータ、および降圧−昇圧コンバータから成る群より選択されるＤＣ−ＤＣコンバータとして動作するように構成されている、請求項１３に記載の電源。
【請求項１８】
Ｍ−巻線結合インダクタであって、Ｍは、１より大きい整数であり、該結合インダクタは、
第１の端部磁気要素と、
第２の端部磁気要素と、
Ｍ個の接続磁気要素であって、各接続磁気要素は、該第１の端部磁気要素と該第２の端部磁気要素との間に配置され、それらを接続する、Ｍ個の接続磁気要素と、
Ｍ個の巻線であって、各巻線は、該Ｍ個の接続磁気要素のうちの個別の１つに少なくとも部分的に巻き付けられる、Ｍ個の巻線と、
磁束に該第１の端部磁気要素と該第２の端部磁気要素との間の経路を提供するように、該Ｍ個の接続磁気要素のうちの少なくとも２つに隣接し、それらに少なくとも部分的にわたって延在する少なくとも１つの上部磁気要素と
を備え、
該少なくとも１つの上部磁気要素は、空隙によって該第１の端部磁気要素から離間され、該少なくとも１つの上部磁気要素は、該第１の端部磁気要素の一部分のみにわたって延在する、結合インダクタ。
【請求項１９】
前記少なくとも１つの上部磁気要素は、前記第１の端部磁気要素の開口部の中に延在する延在部を形成する、請求項１８に記載の結合インダクタ。
【請求項２０】
前記延在部は、前記第１の端部磁気要素と接触していない、請求項１９に記載の結合インダクタ。
【請求項２１】
前記少なくとも１つの上部磁気要素は、前記Ｍ個の接続磁気要素の全てより少ない接続磁気要素に隣接し、それらにわたって延在する、請求項１９に記載の結合インダクタ。
【請求項２２】
前記結合インダクタは、第２の側面に反対の第１の側面を有し、前記Ｍ個の巻線のそれぞれは、該結合インダクタの該第１の側面に向かって延在する別個の第１の端部を有し、該Ｍ個の巻線のそれぞれは、該結合インダクタの該第２の側面に向かって延在する別個の第２の端部を有する、請求項１に記載の結合インダクタ。
【手続補正２】
【補正対象書類名】明細書
【補正対象項目名】００１１
【補正方法】変更
【補正の内容】
【００１１】
実施形態では、Ｍ相電源は、結合インダクタと、Ｍ個のスイッチング回路とを含む。Ｍは、１より大きい整数である。結合インダクタは、第１の端部磁気要素と、第２の端部磁気要素と、Ｍ個の接続磁気要素と、Ｍ個の巻線とを含む。各接続磁気要素は、第１の端部磁気要素と第２の端部磁気要素との間に配置され、それらを接続する。各巻線は、Ｍ個の接続磁気要素のうちの個別の１つに少なくとも部分的に巻き付けられる。各巻線は、個別の第１の端部と、個別の第２の端部とを有し、各第１の端部は、共通の第１の節点に電気的に結合される。結合インダクタはさらに、磁束に第１の端部磁気要素と第２の端部磁気要素との間の経路を提供するように、Ｍ個の接続磁気要素のうちの少なくとも２つに隣接し、それらに少なくとも部分的にわたって延在する、少なくとも１つの上部磁気要素を含む。各スイッチング回路は、個別の巻線の第２の端部に電気的に結合され、少なくとも２つの異なる電圧間で第２の端部を切り替えるように構成される。
本願明細書は、例えば、以下の項目も提供する。
（項目１）
Ｍ−巻線結合インダクタであって、Ｍは、１より大きい整数であり、該結合インダクタは、
第１の端部磁気要素と、
第２の端部磁気要素と、
Ｍ個の接続磁気要素であって、各接続磁気要素は、該第１の端部磁気要素と該第２の端部磁気要素との間に配置され、それらを接続する、Ｍ個の接続磁気要素と、
Ｍ個の巻線であって、各巻線は、該Ｍ個の接続磁気要素のうちの個別の１つに少なくとも部分的に巻き付けられる、Ｍ個の巻線と、
磁束に該第１の端部磁気要素と該第２の端部磁気要素との間の経路を提供するように、該Ｍ個の接続磁気要素のうちの少なくとも２つに隣接し、それらに少なくとも部分的にわたって延在する、少なくとも１つの上部磁気要素と
を備える、結合インダクタ。
（項目２）
前記少なくとも１つの上部磁気要素は、第１の空隙によって前記第１の端部磁気要素から離間され、該少なくとも１つの上部磁気要素は、第２の空隙によって前記第２の端部磁気要素から離間され、該第１および第２の空隙のそれぞれは、前記磁気要素を形成する１つ以上の磁性材料より低い透磁率を有する個別の空隙材料を含む、項目１に記載の結合インダクタ。
（項目３）
各巻線は、前記第１の空隙の厚さの関数であり、かつ前記第２の空隙の厚さの関数である、個別の漏れインダクタンス値を有する、項目２に記載の結合インダクタ。
（項目４）
接着剤および非磁性スペーサから成る群より選択される非磁性材料をさらに備え、該非磁性材料は、前記少なくとも１つの上部磁気要素を前記第１および第２の端部磁気要素から分離する、項目３に記載の結合インダクタ。
（項目５）
前記Ｍ個の巻線のうちの少なくとも１つは、前記少なくとも１つの上部磁気要素と前記第１および第２の端部磁気要素との間のスペーサとしての役割を果たす、項目３に記載の結合インダクタ。
（項目６）
前記少なくとも１つの上部磁気要素は、空隙材料を含む空隙を形成し、前記空隙材料は、前記磁気要素を形成する１つ以上の磁性材料より低い透磁率を有する、項目１に記載の結合インダクタ。
（項目７）
各巻線は、前記空隙の厚さの関数である、個別の漏れインダクタンス値を有する、項目６に記載の結合インダクタ。
（項目８）
Ｍは、２より大きい整数である、項目７に記載の結合インダクタ。
（項目９）
前記第１および第２の端部磁気要素のうちの少なくとも１つは、前記少なくとも１つの上部磁気要素に隣接する開口部を形成する、項目８に記載の結合インダクタ。
（項目１０）
前記少なくとも１つの上部磁気要素は、第１および第２の上部磁気要素を備え、該第１および第２の上部磁気要素は、それらの間に空隙を形成する、項目１に記載の結合インダクタ。
（項目１１）
前記少なくとも１つの上部磁気要素は、単一の上部磁気要素を備える、項目１に記載の結合インダクタ。
（項目１２）
各巻線は、単層であり、長方形の断面を有する単巻の巻線である、項目１に記載の結合インダクタ。
（項目１３）
前記少なくとも１つの上部磁気要素は、外面を形成し、前記外面の少なくとも一部分は、平面である、項目１に記載の結合インダクタ。
（項目１４）
各接続磁気要素は、個別の幅を有し、隣接する接続磁気要素は、いずれかの隣接する接続磁気要素の前記個別の幅の２５％未満である分離距離で分離される、項目１に記載の結合インダクタ。
（項目１５）
各接続磁気要素は、個別の幅を有し、隣接する接続磁気要素は、いずれかの隣接する接続磁気要素の前記個別の幅の１０％未満である分離距離で分離される、項目１に記載の結合インダクタ。
（項目１６）
前記少なくとも１つの上部磁気要素は、前記Ｍ個の接続磁気要素の全てに隣接し、それらにわたって延在する、項目１に記載の結合インダクタ。
（項目１７）
前記少なくとも１つの上部磁気要素は、前記Ｍ個の接続磁気要素の全て未満に隣接し、それらにわたって延在する、項目１に記載の結合インダクタ。
（項目１８）
前記第１および第２の端部磁気要素のうちの少なくとも１つは、前記少なくとも１つの上部磁気要素に隣接する開口部を形成する、項目１７に記載の結合インダクタ。
（項目１９）
Ｍ相電源であって、Ｍは、１より大きい整数であり、該電源は、
結合インダクタであって、
第１の端部磁気要素と、
第２の端部磁気要素と、
Ｍ個の接続磁気要素であって、各接続磁気要素は、該第１の端部磁気要素と該第２の端部磁気要素との間に配置され、それらを接続する、Ｍ個の接続磁気要素と、
Ｍ個の巻線であって、各巻線は、該Ｍ個の接続磁気要素のうちの個別の１つに少なくとも部分的に巻き付けられ、各巻線は、個別の第１の端部と、個別の第２の端部とを有し、各第１の端部は、共通の第１の節点に電気的に結合される、Ｍ個の巻線と、
磁束に該第１の端部磁気要素と該第２の端部磁気要素との間の経路を提供するように、該Ｍ個の接続磁気要素のうちの少なくとも２つに隣接し、それらに少なくとも部分的にわたって延在する、少なくとも１つの上部磁気要素と
を含む、結合インダクタと、
Ｍ個のスイッチング回路であって、各スイッチング回路は、個別の巻線の該第２の端部に電気的に結合され、少なくとも２つの異なる電圧間で該第２の端部を切り替えるように構成される、Ｍ個のスイッチング回路と
を備える、Ｍ相電源。
（項目２０）
Ｍは、２より大きい整数である、項目１９に記載の電源。
（項目２１）
前記少なくとも１つの上部磁気要素は、第１の空隙によって前記第１の端部磁気要素から分離され、該少なくとも１つの上部磁気要素は、第２の空隙によって前記第２の磁気要素から分離され、該第１および第２の空隙のそれぞれは、前記磁気要素を形成する１つ以上の磁性材料より低い透磁率を有する個別の空隙材料を含み、各巻線は、該第１の空隙の厚さの関数であり、かつ第２の空隙の厚さの関数である、個別の漏れインダクタンス値を有する、項目１９に記載の電源。
（項目２２）
前記少なくとも１つの上部磁気要素は、前記磁気要素を形成する１つ以上の磁性材料より低い透磁率を有する空隙材料を含む空隙を形成し、各巻線は、前記空隙の厚さの関数である、個別の漏れインダクタンス値を有する、項目１９に記載の電源。
（項目２３）
各接続磁気要素は、個別の幅を有し、隣接する接続磁気要素は、いずれかの隣接する接続磁気要素の該個別の幅の２５％未満である分離距離で分離される、項目１９に記載の電源。
（項目２４）
各スイッチング回路は、その個別の第２の端部を、少なくとも２０キロヘルツの周波数で、少なくとも２つの異なる電圧間で切り替えるように構成される、項目１９に記載の電源。
（項目２５）
前記電源は、降圧コンバータ、昇圧コンバータ、および降圧−昇圧コンバータから成る群より選択されるＤＣ−ＤＣコンバータとして動作するように構成される、項目１９に記載の電源。